【事件の表示】
　平成　４年特許願第１３６３３１号「ファクシミリ装置」拒絶査定に対する審判事件［平成　５年１１月１９日出願公開、特開平　５−３０８５３１］について、次のとおり審決する。
【結　論】
　本件審判の請求は、成り立たない。
【理　由】
１．手続の経緯・本願発明
　本願は、平成４年４月２８日の出願されたものである。また、平成１０年１０月１９日付け、及び、平成１２年４月３日付けで、それぞれ手続補正書が提出されたが、上記各手続補正書による補正は却下され、上記補正はないものとなった。それゆえ、本願の請求項１に係る発明は（以下、本願発明という）、願書に最初に添付した明細書及び図面の記載からみて、その特許請求の範囲の請求項１に記載されたとおりの次のものと認める。
「画像データを符号化する符号化処理部と、この符号化データを蓄積する画像メモリとを有するファクシミリ装置において、
　上記符号化処理部は、複数の符号化方式を有し、その符号化に際して、ファクシミリ装置の動作モードに応じて予め決められた異なる符号化方式を用いて符号化を行うことを特徴とするファクシミリ装置。」
　
２．先願考案　
　これに対し、原査定の拒絶の理由において、引用文献１として引用された、本願の出願の日前の他の出願であって、本願の出願後に出願公開された、実願平３−１０３９２１号（実開平５−５３３６５号）の願書に最初に添付した明細書又は図面（以下、先願明細書という）には、次のことが記載されている。
（ア）段落【０００２】
「【従来の技術】
　近時、電話回線を介して画像情報を伝送するファクシミリ装置が開発され使用されるようになってきたが、このようなファクシミリ装置では、送信原稿から読み取った画像データを符号化して圧縮伝送することによって、短時間に効率良くファクシミリ送信を行ったり、また、受信した符号化画像データをそのまま画像メモリに格納させるようにしてメモリを効率的に使用するようにされている。」
（イ）段落【０００７】〜【０００９】
「【０００７】
また、送信原稿から読み取って符号化した写真画の画像データを画像メモリに格納しながら順次送信させる場合のように、短時間しか画像メモリに格納しない場合はＭＨ符号化やＭＲ符号化を施して画像データの圧縮率が低下しても特に問題にはならないが、読み取った画像データを一旦画像メモリに格納させ、指定時刻に読み出して送信させる時刻指定送信などでは、圧縮率の低い大容量の写真画像データが長時間画像メモリを占有することになり、画像メモリの空きエリアが低下して必要な他の処理を実行できないような不都合が生じるため改善が望まれていた。
【０００８】
【考案が解決しようとする課題】
　本考案は上記事情に鑑みて提案されるもので、実行しようとする処理内容や画像データの種別に応じた最適な符号化方式で画像データを符号化して必要な処理を行わせるようにし、これによって、画像メモリの効率的な使用や、送信時間の短縮を図ることのできる符号化方式自動判別機能を有したファクシミリ装置を提供することを目的としている。
【０００９】
【課題を解決するための手段】
上記目的を達成するために提案される本考案は、原画像データに各種の符号化を施す符号化回路部と、符号化画像データを元の原画像データに復号化する復号化回路部と、画像種別や実行しようとする処理内容に応じて予め定められた符号化方式を判別する符号化判別部と、該符号化判別部で判別された符号化方式で上記画像データを符号化して必要な処理を行なわせる信号処理部とを備えた構成とされている。
　このような本考案では、符号化判別部が、画像種別や処理内容に応じた最適な符号化方式を予め対応させて格納したデータテーブルを有しており、画像データの白黒画素の反転頻度などから写真画像や文書画像などの画像種別を判別するとともに、キー操作に応じた処理内容を判別し、データテーブルを参照して、これらの判別結果に応じた最適な符号化方式を求めるようになっている。」
（ウ）段落【００１１】〜【００１３】
「【００１１】
【実施例】
以下に、図面を参照して本考案の実施例を説明する。
　図１は、本考案の符号化方式自動判別機能を有したファクシミリ装置１の構成例を示したもので、図において、１０は各部の信号処理を行う信号処理部、１１は白黒２値化された原画像データに各種の符号化を施す符号化回路部、１２は符号化画像データを原画像データに復号化する復号化回路部、１３は後述するように最適な符号化方式を判別する符号化判別部、１４は符号化された画像データを格納する画像メモリ、１５は各種の操作キーを有したキー操作部、１６は符号化方式の設定を行う自動モードと手動モードとを切換設定するモード切換部である。また、１７は符号変換テーブルや各種の処理プログラムなどを予め格納したＲＯＭ１７ａとＲＡＭ１７ｂとを有したシステムメモリ、１８は送信原稿から画像信号を読み取って白黒２値化する画像読取部、１９は信号処理部１０から伝送される画像データを記録紙に印字出力させる印字出力部、２０は電話回線Ｃを介して画像データの送受信を行う送受信制御部である。
【００１２】
符号化回路部１１は、画像読取部１８や復号化回路部１２から出力される白黒２値化された画像データに、ＭＨ符号化、ＭＲ符号化、写真画圧縮符号化あるいは非可逆圧縮符号化などの各種の符号化を施す動作を行い、他方の復号化回路部１２は、電話回線Ｃを介して伝送されて来た符号化画像データや符号化回路部１１から出力される符号化画像データを原画像データに復号化する動作を行うようになっており、これらの符号化回路部１１と復号化回路部１２との組み合わせ動作によって、符号化された画像データを別の方式の符号化画像データに変換させることもできる。
【００１３】
符号化判別部１３は、処理内容と画像種別に応じた最適な符号化方式を予め対応させて格納したデータテーブルを有しており、図２のフローチャート（ステップ１００?１０３）に示したように、復号化回路部１２から出力された原画像データの一部を取り込む処理によって、写真画像あるいは文書画像などの画像種別を判別するとともに、キー操作部１５の入力操作に応じた実行すべき処理内容を信号処理部１０から読み込み、データテーブルを参照してこれらの画像種別と処理内容とに応じた最適な符号化方式を決定するようになっている。
　この画像種別の判別方法としては、所定ライン数分の画像データの変化点の多少に応じて写真画像と文書画像とを区別する変化点カウント方式や、所定ライン数分の画像データをＭＨ符号化やＭＲ符号化し、符号化画像データの長短に応じて写真画像と文書画像とを区別する圧縮率判別方式などの方法を使用することができる。」
（エ）段落【００１５】
「次に、このような構成の本考案の符号化方式自動判別機能を有したファクシミリ装置１の概略動作を、図３のフローチャートを参照しながら説明する。
１．自動モード設定時の動作（図３ステップ２００?２１６参照）。
（１）キー操作部１５のモード切換キー（不図示）を操作するとモード切換部１６によって自動モードに切換設定される。
（２）符号化判別部１３では、信号処理部１０を介して復号化回路部１２から、符号化処理を行おうとする原画像データを必要なライン分だけ読み込み、変化点カウント方式によって写真画像か文書画像かを判別する。また、キー操作部１５でキー入力されたデータを信号処理部１０を介して取り込むことによって実行すべき処理内容を判別する。そして、データテーブルを参照して、画像種別と処理内容に応じた最適な符号化方式を求め、信号処理部１０に符号化方式データを出力する。
（３）信号処理部１０では、符号化回路部１１によって決定された符号化方式データに応じた符号化方式で画像データを符号化し、送信や画像メモリへの格納などの必要な処理を行う。」
（オ）段落【００１７】
「２．手動モード設定時の動作。
　キー操作部１５のモード切換キー（不図示）を操作するとモード切換部１６によって手動モードに切換設定され、これによって、上述した符号化判別部１３の動作は停止し、代わって、キー操作部１５でマニュアル設定された符号化方式によって画像データの符号化処理が行われる。」
（カ）段落【００１９】
「【考案の効果】
　以上の説明から理解されるように、本考案の符号化方式自動判別機能を有したファクシミリ装置によれば、実行しようとする処理内容や画像種別に応じた最適な符号化を画像データに施すことができるので、処理内容に応じて、画像データをできる限り高圧縮化して画像メモリの占有エリアや伝送時間をできる限り削減したり、あるいは、圧縮率は低くても完全な復号化を行わせるなど、処理状況に即した最適な符号化を行わせることが可能となる。」
　以上の記載より、先願明細書には次の考案が記載されている。
「各部の信号処理を行う信号処理部１０と、
　画像読取部１８や復号化回路部１２から出力される白黒２値化された画像データに、ＭＨ符号化、ＭＲ符号化、写真画圧縮符号化あるいは非可逆圧縮符号化などの各種の符号化を施す動作を行う符号化回路部１１と、
　符号化画像データを原画像データに復号化する復号化回路部１２と、
　最適な符号化方式を判別する符号化判別部１３と、
　符号化された画像データを格納する画像メモリ１４と、
　各種の操作キーを有したキー操作部１５と、
　符号化方式の設定を行う自動モードと手動モードとを切換設定するモード切換部１６と、
　符号変換テーブルや各種の処理プログラムなどを予め格納したＲＯＭ１７ａとＲＡＭ１７ｂとを有したシステムメモリ１７と、
　送信原稿から画像信号を読み取って白黒２値化する画像読取部１８と、
　信号処理部１０から伝送される画像データを記録紙に印字出力させる印字出力部１９と、
　電話回線Ｃを介して画像データの送受信を行う送受信制御部２０と
から構成される、符号化判別部が、画像種別や処理内容に応じた最適な符号化方式を予め対応させて格納したデータテーブルを有しており、画像データの白黒画素の反転頻度などから写真画像や文書画像などの画像種別を判別するとともに、キー操作に応じた処理内容を判別し、データテーブルを参照して、これらの判別結果に応じた最適な符号化方式を求めるようになっているファクシミリ装置。」
　
３．対比
　そこで、本願発明と先願明細書に記載された考案（以下、先願考案という）とを対比すると、
　先願考案には「画像データを符号化する回路部」として、「画像読取部１８や復号化回路部１２から出力される白黒２値化された画像データに、ＭＨ符号化、ＭＲ符号化、写真画圧縮符号化あるいは非可逆圧縮符号化などの各種の符号化を施す動作を行う符号化回路部１１」が記載されていて、この「符号化回路部１１」は、各種の符号化を施す動作を行うものであるから、本願発明の「複数の符号化方式を有しているところの、画像データを符号化する符号化処理部」に、相当しているものと認められる。
　また、先願考案の、「符号化された画像データを格納する画像メモリ１４」は、本願発明の「符号化データを蓄積する画像メモリ」に対応するものである。
　してみると、両者は、
「画像データを符号化する符号化処理部と、この符号化データを蓄積する画像メモリとを有するファクシミリ装置において、
　上記符号化処理部が、複数の符号化方式を有し、異なる符号化方式を用いて符号化を行うファクシミリ装置。」
で、一致しており、次の点で、一応の相違が認められる。
（相違点）
　符号化に際して、本願発明では、「ファクシミリ装置の動作モードに応じて予め決められた異なる符号化方式を用いて符号化を行う」のに対して、先願考案では、「ファクシミリ装置の実行しようとする処理内容や画像種別に応じた最適な符号化方式を用いて符号化を行う」点。
　
４．当審の判断　
　そこで、この相違点について検討すると、
　本願発明における「ファクシミリ装置の動作モード」とは、明細書の記載には、「
例えば
等
等
等
画像メモリの使用効率を向上できる
　一方、先願考案では、段落【０００７】で「送信原稿から読み取って符号化した写真画の画像データを画像メモリに格納しながら順次送信させる場合のように、短時間しか画像メモリに格納しない場合はＭＨ符号化やＭＲ符号化を施して画像データの圧縮率が低下しても特に問題にはならないが、読み取った画像データを一旦画像メモリに格納させ、指定時刻に読み出して送信させる時刻指定送信などでは、圧縮率の低い大容量の写真画像データが長時間画像メモリを占有することになり、画像メモリの空きエリアが低下して必要な他の処理を実行できないような不都合が生じるため改善が望まれていた。」と記載され、段落【０００８】には、「本考案は上記事情に鑑みて提案されるもので、
実行しようとする処理内容
画像メモリの効率的な使用
　したがって、本願発明は、先願考案と実質的に同一であると認められる。
　
５．むすび
　そして、本願発明の発明者が先願明細書に記載された考案の考案者と同一であるとも、また、本出願の出願時の出願人が先願明細書に記載された考案に係る出願の出願人と同一であるとも認められないので、
　本願特許請求の範囲の請求項１に係る発明は、特許法第２９条の２第１項の規定により特許を受けることができない。
　よって、結論のとおり審決する。